(57)【要約】      （修正有）【課題】ブリーディングやフェザリングを抑制し、高い転写率でありながら、画像流れを防止することができる画像形成装置を提供する。【解決手段】画像形成装置１００は、水性記録液を中間転写体に吐出する記録ヘッド６１Ｙ、６１Ｍ、６１Ｃ、６１ＢＫと、親水性高分子を含有する水性溶媒と、水性溶媒と非相溶の低極性溶媒と、を、第１の界面活性剤により、水性溶媒が分散相となるとともに低極性溶媒が連続層となったＷ／Ｏエマルションとして乳化させた処理液を中間転写体３７に付与する付与手段７３と、を有し、中間転写体３７の表面層３７ｂは、処理液の低極性溶媒を吸収する材料で構成する。【選択図】図１
2016007841.tif 000002
【特許請求の範囲】
【請求項１】
水性記録液を中間転写体に吐出する記録ヘッドと、
親水性高分子を含有する水性溶媒と、前記水性溶媒と非相溶の低極性溶媒と、を、第１の界面活性剤により、前記水性溶媒が分散相となるとともに前記低極性溶媒が連続層となったＷ／Ｏエマルションとして乳化させた処理液を前記中間転写体に付与する付与手段と、を有し、
前記中間転写体の表面層は、前記処理液の低極性溶媒を吸収する材料で構成することを特徴とする画像形成装置。
【請求項２】
前記表面層は、刺激を与えることで前記処理液の低極性溶媒の吸収と放出とを切り替えることが可能な材料で構成することを特徴とする請求項１記載の画像形成装置。
【請求項３】
前記表面層は、
熱によって前記処理液の低極性溶媒の吸収と放出とを切り替えることが可能な材料と、
圧力によって前記処理液の低極性溶媒の吸収と放出とを切り替えることが可能な材料と、
ｐＨによって前記処理液の低極性溶媒の吸収と放出とを切り替えることが可能な材料と、の何れかの材料で構成することを特徴とする請求項１または請求項２記載の画像形成装置。
【請求項４】
前記表面層は、高吸油性樹脂で構成することを特徴とする請求項１から請求項３の何れか１項に記載の画像形成装置。
【請求項５】
前記中間転写体は、前記表面層と、前記表面層の内側の内部層と、の少なくとも２層構造になっており、前記内部層は、前記低極性溶媒を吸収しない材料で構成することを特徴とする請求項１から請求項４の何れか１項に記載の画像形成装置。
【請求項６】
前記表面層が熱によって前記処理液の低極性溶媒の吸収と放出とを切り替えることが可能な材料で構成する場合に、前記中間転写体と対向する転写体は、前記表面層を加熱する加熱手段を有することを特徴とする請求項３記載の画像形成装置。
【請求項７】
前記表面層が吸収した前記処理液の低極性溶媒を除去する溶媒除去機構を有することを特徴とする請求項１から請求項６の何れか１項に記載の画像形成装置。
【請求項８】
前記溶媒除去機構は、前記表面層よりも前記低極性溶媒を吸収し易い部材で構成することを特徴とする請求項７記載の画像形成装置。
【請求項９】
前記溶媒除去機構は、前記表面層を加熱する加熱手段を有することを特徴とする請求項７または請求項８記載の画像形成装置。
【請求項１０】
記録ヘッドにより水性記録液を中間転写体に吐出して画像形成を行う画像形成方法であって、
親水性高分子を含有する水性溶媒と、前記水性溶媒と非相溶の低極性溶媒と、を、第１の界面活性剤により、前記水性溶媒が分散相となるとともに前記低極性溶媒が連続層となったＷ／Ｏエマルションとして乳化させた処理液を前記中間転写体に付与する付与工程と、
前記中間転写体の表面層は、前記処理液の低極性溶媒を吸収する材料で構成し、前記表面層が吸収した前記処理液の低極性溶媒を除去する溶媒除去工程と、を有することを特徴とする画像形成方法。
【発明の詳細な説明】
【技術分野】
【０００１】
本発明は、記録ヘッドによりインク等の水性記録液を吐出して画像形成を行うインクジェット方式の画像形成装置に関する。
【背景技術】
【０００２】
従来より、インク等の水性記録液を吐出する記録ヘッドを用いて画像形成を行うインクジェット方式の画像形成装置がある。
【０００３】
この種の画像形成装置として、たとえば、インク非浸透性の中間転写体上に記録ヘッドから水性記録液を吐出して画像を形成し、その画像を中間転写体から紙等の記録媒体に転写する中間転写方式と呼ばれる方法がある。この中間転写方式は、記録ヘッドを記録媒体から離して配置することができ、紙粉の付着による記録ヘッドのノズルの目詰まりを防止することができる。しかし、中間転写体上で不均一な混色が生じ、画像品質が低下するという問題があった。
【０００４】
特許文献１（特開２００３−２４６１３５号公報）には、カチオン性高分子化合物と界面活性剤及び／または濡れ性促進剤を含む処理液を中間転写体上に付与し、その処理液とインクジェット方式で吐出されるインクとを接触、混合せしめ、その後、記録媒体に転写する画像形成方法が開示されている。
【０００５】
特許文献２（特開２００８−０１９２８６号公報）には、インクと接触、混合した際に、混合液のｐＨを大きく変化せしめる処理液を中間転写体に付与することが開示されている。
【０００６】
特許文献３（特開２０１４−０７３６７５号公報）には、Ｗ／Ｏエマルションとして乳化させた処理液を中間転写体に付与することで、文字や細線の印字部周辺への滲みであるフェザリングや色重ね部分等の色境界滲みであるブリーディングを抑制する技術について開示されている。
【０００７】
特許文献４（特開２００８−０１８７１６号公報）には、オイルと、該オイルの表面張力以下の表面張力を有する水溶性界面活性剤と、が表面に存在する中間転写体にインク像を形成する形成工程と、その形成されたインク像を記録媒体に転写する転写工程と、を有する画像形成方法が開示されている。
【発明の概要】
【発明が解決しようとする課題】
【０００８】
特許文献１〜３に開示されている処理液は、２色重ね部分等の色境界滲みであるブリーディング、文字や細線の印字部周辺への滲みであるフェザリングに対して効果的である。しかし、単に処理液を中間転写体に付与するだけでは、高い転写性を得るには不十分である。
【０００９】
また、特許文献４のようにオイルを用いると、転写する際に画像流れを起こす問題がある。
【００１０】
本発明の目的は、ブリーディングやフェザリングを抑制し、高い転写率でありながら、画像流れを防止することである。
【課題を解決するための手段】
【００１１】
本発明にかかる画像形成装置は、
水性記録液を中間転写体に吐出する記録ヘッドと、
親水性高分子を含有する水性溶媒と、前記水性溶媒と非相溶の低極性溶媒と、を、第１の界面活性剤により、前記水性溶媒が分散相となるとともに前記低極性溶媒が連続層となったＷ／Ｏエマルションとして乳化させた処理液を前記中間転写体に付与する付与手段と、を有し、
前記中間転写体の表面層は、前記処理液の低極性溶媒を吸収する材料で構成することを特徴とする。
【発明の効果】
【００１２】
本発明は、ブリーディングやフェザリングを抑制し、高い転写率でありながら、画像流れを防止することができる。
【図面の簡単な説明】
【００１３】
【図１】本実施形態の画像形成装置の概略正面図である。
【図２】（ａ）は、Ｗ／Ｏエマルションの模式図であり、（ｂ）は、Ｏ／Ｗエマルションの模式図である。
【発明を実施するための形態】
【００１４】
＜本発明の一態様にかかる画像形成装置１００の概要＞
まず、図１を参照しながら、本発明の一態様にかかる画像形成装置１００について説明する。図１は、本発明の一態様にかかる画像形成装置１００の構成例を示す。
【００１５】
本発明の一態様にかかる画像形成装置１００は、記録ヘッド６１と、付与手段７３と、を有して構成する。記録ヘッド６１は、水性記録液を中間転写体３７に吐出する。付与手段７３は、親水性高分子を含有する水性溶媒と、水性溶媒と非相溶の低極性溶媒と、を、第１の界面活性剤により、水性溶媒が分散相となるとともに低極性溶媒が連続層となったＷ／Ｏエマルションとして乳化させた処理液を中間転写体３７に付与する。また、中間転写体３７の表面層３７ｂは、処理液の低極性溶媒を吸収する材料で構成する。
【００１６】
本発明の一態様にかかる中間転写体３７の表面層３７ｂは、処理液の低極性溶媒を吸収する材料で構成する。このため、中間転写体３７上で処理液中のエマルション濃度を高め、ブリーディングやフェザリングを抑制し、高い転写率でありながら、画像流れを防止することができる。以下、添付図面を参照しながら、本発明の一態様にかかる画像形成装置１００について説明する。
【００１７】
＜画像形成装置１００の構成例＞
まず、図１を参照しながら、本実施形態の画像形成装置１００の構成例について説明する。図１は、本実施形態の画像形成装置１００の概略を示す図である。
【００１８】
画像形成装置１００は、インクジェットプリンタとしてのプリンタであってフルカラーの画像形成を行うことが可能となっている。画像形成装置１００は、外部から受信した画像情報に対応する画像信号に基づき画像形成処理を行う。
【００１９】
画像形成装置１００は、一般にコピー等に用いられる普通紙の他、ＯＨＰシートや、カード、ハガキ等の厚紙や、封筒等の何れをもシート状の記録媒体としてこれに画像形成を行うことが可能である。画像形成装置１００は、記録媒体である記録用紙としての転写紙Ｓの片面に画像形成可能な片面画像形成装置であるが、転写紙Ｓの両面に画像形成可能な両面画像形成装置であってもよい。
【００２０】
画像形成装置１００は、イエロー、マゼンタ、シアン、ブラックの各色に色分解された色にそれぞれ対応する像としての画像を形成可能な、当該色のインクとしての水性記録液を吐出する記録ヘッド６１Ｙ、６１Ｍ、６１Ｃ、６１ＢＫを有している。また、画像形成装置１００は、無色透明のインクとしての水性記録液を吐出する記録ヘッド６１Ｔを有している。
【００２１】
記録ヘッド６１Ｙ、６１Ｍ、６１Ｃ、６１ＢＫ、６１Ｔは、画像形成装置１００の本体９９の略中央部に配設された中間転写ローラとしての中間転写体３７の外周面に対向する位置に配設されている。記録ヘッド６１Ｙ、６１Ｍ、６１Ｃ、６１ＢＫ、６１Ｔは、中間転写体３７の移動方向であって図１において時計回り方向であるＡ１方向の上流側からこの順で並んでいる。図１において各符号の数字の後に付されたＹ、Ｍ、Ｃ、ＢＫ、Ｔは、イエロー、マゼンタ、シアン、黒、無色透明用の部材であることを示している。
【００２２】
記録ヘッド６１Ｙ、６１Ｍ、６１Ｃ、６１ＢＫは、それぞれ、イエロー（Ｙ）、マゼンタ（Ｍ）、シアン（Ｃ）、ブラック（ＢＫ）の画像を形成するためのインク吐出装置６０Ｙ、６０Ｍ、６０Ｃ、６０ＢＫに備えられている。記録ヘッド６１Ｔは、無色透明（Ｔ）の画像を形成するためのインク吐出装置６０Ｔに備えられている。なお、各記録ヘッド６１Ｙ、６１Ｍ、６１Ｃ、６１ＢＫ、６１Ｔは、図１の紙面に垂直な方向に複数が並設された態様で、インク吐出装置６０Ｙ、６０Ｍ、６０Ｃ、６０ＢＫ、６０Ｔに備えられたラインヘッドである。
【００２３】
中間転写体３７は、Ａ１方向に回転している状態で、各記録ヘッド６１Ｙ、６１Ｍ、６１Ｃ、６１ＢＫに対向する領域で、各記録ヘッド６１Ｙ、６１Ｍ、６１Ｃ、６１ＢＫからイエロー、マゼンタ、シアン、黒の記録液が順次重ね合わされる態様で吐出されて付与される。中間転写体３７は、Ａ１方向に回転している状態で、記録ヘッド６１Ｔに対向する領域で、記録ヘッド６１Ｔから無色透明の記録液が、イエロー、マゼンタ、シアン、黒の記録液が付与された領域である第１の領域と異なる第２の領域に吐出されて付与される。これにより、中間転写体３７は、その表面である一次画像形成面上に一次画像である画像が形成される被記録体として機能するようになっている。画像形成装置１００は、記録ヘッド６１Ｙ、６１Ｍ、６１Ｃ、６１ＢＫを中間転写体３７に対向させＡ１方向に並設したタンデム構造となっている。
【００２４】
記録ヘッド６１Ｙ、６１Ｍ、６１Ｃ、６１ＢＫ、６１Ｔによる中間転写体３７に対する記録液の吐出、すなわち、付与は、Ａ１方向上流側から下流側に向けてタイミングをずらして行われる。これにより、イエロー、マゼンタ、シアン、黒の各色の画像領域が中間転写体３７上の同じ位置に重なって第１の領域に画像が形成されるとともに、無色透明の画像領域が第２の領域に形成される。
【００２５】
第１の領域は、記録ヘッド６１Ｙ、６１Ｍ、６１Ｃ、６１ＢＫ、６１Ｔによって記録液を付与され得る画像形成可能領域のうち、ユーザーが形成を所望する画像を構成する画像部である。第２の領域は、かかる画像形成領域のうち、ユーザーが形成を所望する画像の反転画像を構成する非画像部である。
【００２６】
記録ヘッド６１Ｙ、６１Ｍ、６１Ｃ、６１ＢＫ、６１Ｔによって吐出される各記録液の組成については後述する。なお、記録ヘッド６１Ｔによって吐出される記録液は、記録ヘッド６１Ｙ、６１Ｍ、６１Ｃ、６１ＢＫによって吐出される記録液によって形成される画像の妨げとならなければ良いため、無色透明でなく、たとえば白色等の色がついていても良い。
【００２７】
画像形成装置１００は、記録ヘッド６１Ｙ、６１Ｍ、６１Ｃ、６１ＢＫ、６１Ｔをそれぞれ備えたインク吐出装置６０Ｙ、６０Ｍ、６０Ｃ、６０ＢＫ、６０Ｔを有している。また、画像形成装置１００は、中間転写体３７を備え、その中間転写体３７のＡ１方向への回転に伴って転写紙Ｓを搬送する搬送ユニット１０を有している。
【００２８】
また、画像形成装置１００は、転写紙Ｓを多数枚積載可能であり積載した転写紙Ｓのうち最上位の転写紙Ｓのみを搬送ユニット１０に向けて給送する給紙ユニット２０を有している。
【００２９】
また、画像形成装置１００は、搬送ユニット１０によって搬送されてきた画像形成済みの転写紙Ｓを多数積載可能な排紙台２５を有している。
【００３０】
また、画像形成装置１００は、中間転写体３７をクリーニングするためのクリーニング手段としてのクリーニング装置４０を有している。
【００３１】
また、画像形成装置１００は、後述する所定の組成、所定の状態の処理液を中間転写体３７に付与する付与手段としての付与装置７３を有している。
【００３２】
また、画像形成装置１００は、記録ヘッド６１Ｙ、６１Ｍ、６１Ｃ、６１ＢＫ、６１Ｔを一体に支持したヘッド支持体としてのキャリッジ６２を有している。
【００３３】
また、画像形成装置１００は、画像形成装置１００の動作全般を制御する制御手段としての制御部９８を有している。
【００３４】
また、画像形成装置１００は、画像形成装置１００において画像形成が行われる環境温度及び環境湿度を検知し、その検知した環境温度及び環境湿度を制御部９８に入力する環境検知センサ３５を有している。
【００３５】
搬送ユニット１０は、中間転写体３７の他に、中間転写体３７に対向して配置され中間転写体３７との間の転写部３１を転写紙Ｓが通過するときに中間転写体３７上に担持された記録液による一次画像をその転写紙Ｓに転写する転写装置３６を有している。
【００３６】
また、搬送ユニット１０は、給紙ユニット２０から給送されてきた転写紙Ｓを転写部３１に向けて搬送する搬送ローラ３２を有している。
【００３７】
また、搬送ユニット１０は、搬送ローラ３２によって搬送されてきた転写紙Ｓを一旦停止させるとともに、後述する所定のタイミングに応じて一旦停止させた転写紙Ｓを転写部３１に給送するレジストローラ３４を有している。
【００３８】
また、搬送ユニット１０は、給紙ユニット２０から給送されてきた転写紙Ｓを転写部３１に案内するとともに、転写部３１を通過した転写紙Ｓを排紙台２５に案内するガイド板３９を有している。
【００３９】
また、搬送ユニット１０は、中間転写体３７をＡ１方向に回転駆動する駆動手段としてのモータ等を有している。
【００４０】
レジストローラ３４は、中間転写体３７上に形成された画像が中間転写体３７のＡ１方向への回転に伴って転写部３１に至るタイミングで、転写紙Ｓを転写部３１に給送する。
【００４１】
転写装置３６は、中間転写体３７との間で転写紙Ｓを挟み、この転写紙Ｓを挟んだ状態で中間転写体３７に従動回転しながら中間転写体３７上の画像を転写紙Ｓに転写する転写部材としての転写ローラ３８を有している。
【００４２】
また、転写装置３６は、転写ローラ３８を中間転写体３７に近接させあるいは中間転写体３７から離間させる接離手段としての接離装置７７を有している。
【００４３】
また、転写装置３６は、転写ローラ３８をクリーニングするためのクリーニング手段としてのクリーニング装置７８を有している。
【００４４】
転写ローラ３８は、記録液、処理液による汚れ防止の観点から、表面エネルギーの低い撥水性部材を表面に配設されていることが好ましい。よって、転写ローラ３８は、表面に、四フッ化エチレン樹脂、四フッ化エチレン／パーフルオロアルコキシエチレン共重合体などのフッ素系樹脂、フルオロシリコーンゴム、フェニルシリコーンゴム、フッ素ゴム、クロロプレンゴム、ニトリルゴム、ニトリルブタジエンゴム、イソプレンゴムなどのゴム材料、樹脂や金属、ゴムの表面にフッ素処理をした表面層を有している。
【００４５】
転写ローラ３８は、中間転写体３７の表面層３７ｂに熱により低極性溶媒の吸収と放出とを切り替えることが可能な材料を用いた場合、表面層３７ｂを加熱する加熱部を転写ローラ３８の内部に設けても良い。加熱部は、表面層３７ｂに熱を加えるものであり、ヒータ、冷却機等があげられる。加熱部は、表面層３７ｂに熱を加えることが可能であれば、その加熱部を設ける位置はとくに限定せず、任意の位置に任意の方法で設けることが可能である。
【００４６】
転写ローラ３８の表面部材としての物性は、撥水性については水の後退接触角が６０°以上、好ましくは８０°以上であり、硬度についてはＪＩＳ−Ａで６０以上、好ましくは８０以上である。また、表面層の厚みは０．１〜１ｍｍ程度がよく、０．２〜０．６ｍｍが好適である。
【００４７】
接離装置７７は、レジストローラ３４によって転写部３１に向けて給送された転写紙Ｓの先端が転写部３１に進入するタイミングで転写ローラ３８を中間転写体３７に向けて近接するように変位させ、中間転写体３７と転写ローラ３８との間に転写紙Ｓを挟持させる。中間転写体３７との間に転写紙Ｓを挟持した挟持状態で、転写ローラ３８は、中間転写体３７に向けて押圧され、転写紙Ｓを中間転写体３７に加圧した状態となり、加圧部材としての加圧ローラとして機能するようになっている。
【００４８】
また、接離装置７７は、中間転写体３７と転写ローラ３８との間に挟持され中間転写体３７の回転によって転写部３１を搬送されている転写紙Ｓの後端が転写部３１を抜けるタイミングで転写ローラ３８を中間転写体３７から離間するように変位させる。
【００４９】
接離装置７７による転写ローラ３８のこのようなタイミングでの駆動は、制御部９８によって制御される。この点、制御部９８は、転写制御手段として機能する。転写制御手段として機能する制御部９８による制御により、転写ローラ３８は、中間転写体３７に直接当接することが防止され、中間転写体３７表面上の処理液や記録液が付着することが防止されている。
【００５０】
クリーニング装置７８は、転写紙Ｓに当接することによって付着した紙粉、何らかの原因で中間転写体３７から転移した処理液や記録液を転写ローラ３８から除去することで転写ローラ３８をクリーニングする。クリーニング装置７８は定位置に固定されているが、接離装置７７によって転写ローラ３８とともに変位するようになっていてもよい。
【００５１】
クリーニング装置７８は、紙粉、中間転写体３７上の処理液、記録液の転写ローラ３８への付着が画像形成や転写紙Ｓの汚れ、カールなどに影響を与えない場合、あるいはかかる影響が無視できる程度である場合などには省略可能である。接離装置７７は、処理液、記録液の転写ローラ３８への付着が画像形成や転写紙Ｓの汚れ、カールなどに影響を与えない場合、あるいはかかる影響が無視できる程度である場合などには省略可能である。ただし、接離装置７７を省略した場合、中間転写体３７上の処理液、記録液の転写ローラ３８への付着量が多量になる可能性があるため、この場合はクリーニング装置７８を有することが望ましい。
【００５２】
このように、転写装置３６は、中間転写体３７上の画像を転写紙Ｓに転写して転写記録する転写手段として搬送ユニット１０に備えられている。転写装置３６は、転写ローラ３８が中間転写体３７に対向する位置でＡ１方向と同じ方向に回転するように駆動するモータ等の駆動源を備えていても良い。転写制御手段として機能する制御部９８は、接離装置７７の他、かかる駆動源等、転写装置３６において駆動を制御される構成を制御する。
【００５３】
以上の説明から明らかなように、画像形成装置１００は、転写紙Ｓへの画像形成を中間転写体３７を用いて間接的に行う間接方式の画像形成装置となっている。
【００５４】
中間転写体３７は、アルミニウム製の支持体３７ａと、支持体３７ａ上に形成されたシリコーンゴム製の表面層３７ｂからなっている。支持体３７ａの材質はアルミニウムに限られるものではなく、機械的強度があればよく、金属、合金等によって形成される。具体的には、支持体３７ａは、アルミニウムに限らず、ニッケル、ニッケル合金、熱硬化性樹脂、セラミック等によって形成してもよい。
【００５５】
表面層３７ｂの材質は、シリコーンゴムに限らず、処理液の低極性溶媒を吸収する材料であれば良い。表面層３７ｂを処理液の低極性溶媒を吸収する材料で構成することで、後述する処理液中のエマルション濃度を中間転写体３７上で高めることができ、ブリーディング、フェザリングを抑制することが可能となる。
【００５６】
また、転写性の観点から、表面エネルギーが低く転写紙Ｓへの追従性が高い弾性材料であれば記録液の剥離性が高い材料である点で好ましい。表面層３７ｂの弾性は、転写の際に必要な機能で、表面層３７ｂが転写紙Ｓの繊維に沿って変形することで接触面積が向上し高い転写率が達成される。低い圧力で転写するには表面層３７ｂの材料としてある程度柔らかい材料を選択しなければならない。具体的には、表面層３７ｂは、シリコーンゴム製に限らず、フルオロシリコーンゴム、フェニルシリコーンゴム、フッ素ゴム、クロロプレンゴム、ニトリルゴム、ニトリルブタジエンゴム、イソプレンゴム等によって形成してもよい。
【００５７】
また、表面層３７ｂは、刺激により低極性溶媒の吸収と放出とを切り替えることが可能な材料を用いても良い。低極性溶媒の吸収と放出とを切り替える刺激としては、熱、ｐＨ、圧力、光、電場、磁場等があげられる。本実施形態の表面層３７ｂは、熱、ｐＨ、圧力、光、電場、磁場等の各種刺激が与えられない場合は、低極性溶媒を吸収し、各種刺激が与えられた場合は、表面層３７ｂに吸収された低極性溶媒を放出することになる。
【００５８】
なお、熱により低極性溶媒の吸収と放出とを切り替えることが可能な材料としては、ポリイソプロピルアクリルアミド、ポリジエチルアクリルアミド等があげられる。
【００５９】
圧力により低極性溶媒の吸収と放出とを切り替えることが可能な材料としては、スポンジ等の多孔質材料があげられる。
【００６０】
ｐＨにより定極性溶媒の吸収と放出とを切り替えることが可能な材料としては、ポリアクリルアミドアルキル酸等があげられる。
【００６１】
また、表面層３７ｂは、高吸油性樹脂を用いることができる。高吸油性樹脂としては、（アクリル酸エステル／アクリロイルオキシトリアルキルアンモニウム塩）共重合体、（アクリル酸エステル／アクリロイルオキシアルキルトリアルキルアンモニウム塩）共重合体等がある。アクリル酸エステルのエステル基、アクリロイルオキシトリアルキルアンモニウム塩及びアクリロイルオキシアルキルトリアルキルアンモニウム塩のアンモニウムのアルキル基は親油性の観点から長鎖状のものが好ましい。アクリル酸エステルのエステル基の炭素数は３以上、好ましくは５以上であり、アクリロイルオキシトリアルキルアンモニウム塩及びアクリロイルオキシアルキルトリアルキルアンモニウム塩のアンモニウムのアルキル基の炭素数は５以上、好ましくは７以上である。
【００６２】
なお、表面層３７ｂに、刺激により低極性溶媒の吸収と放出とを切り替えることが可能な材料や高吸油性樹脂を用いた場合は、転写性の観点から、図１に示すように、支持体３７ａと表面層３７ｂとの間に中間層３７ｃを設けても良い。この場合、中間層３７ｃは、低極性溶媒が浸透しない材料が好ましい。本実施形態の中間転写体３７は、表面層３７ｂと、表面層３７ｂの内側の内部層となる中間層３７ｃと、の少なくとも２層構造で構成し、中間層３７ｃは、低極性溶媒を吸収しない材料で構成することも可能である。
【００６３】
給紙ユニット２０は、転写紙Ｓを多数枚積載可能な給紙トレイ２１と、給紙トレイ２１に積載された転写紙Ｓのうち最上位の転写紙Ｓのみを搬送ユニット１０に向けて給送する送り出しローラとしての給紙ローラ２２と、を有している。また、給紙ユニット２０は、給紙トレイ２１及び給紙ローラ２２を支持した筐体２３を有している。
【００６４】
また、給紙ユニット２０は、給紙ローラ２２を、記録ヘッド６１Ｙ、６１Ｍ、６１Ｃ、６１ＢＫ、６１Ｔにおける記録液の吐出タイミングに合わせるように回転駆動し転写紙Ｓを給送させる駆動手段としてのモータ等を有している。
【００６５】
クリーニング装置４０は、記録液が転写紙Ｓに転写された後の中間転写体３７から、中間転写体３７上すなわち一次画像形成面上に残留している記録液を除去してクリーニングするために備えられている。そのため、クリーニング装置４０は、Ａ１方向において転写部３１の下流側で、かつ付与装置７３が中間転写体３７に対向し中間転写体３７に処理液を塗布する位置の上流側において、中間転写体３７に対向し、中間転写体３７をクリーニングするようになっている。
【００６６】
クリーニング装置４０は、中間転写体３７に当接し中間転写体３７上の記録液をクリーニングするための絶縁性のクリーニング部材としてのクリーニングブレードを有している。クリーニングブレードは、中間転写体３７にその一部すなわち先端を当接することで、中間転写体３７表面の記録液、具体的には転写後に残留している記録液を掻き取るような機能があればよく、耐磨耗性を有する。
【００６７】
また、クリーニング装置４０は、中間転写体３７の表面層３７ｂに吸収された低極性溶媒を除去する溶媒除去機構としての溶媒除去ローラ４１を備えている。溶媒除去ローラ４１は、中間転写体３７に吸収した低極性溶媒を除去し、中間転写体３７がいつまでも低極性溶媒を吸収できるようにさせるためのものである。溶媒除去ローラ４１の部材は、中間転写体３７の表面層３７ｂよりも低極性溶媒への親和性が高いものが良い。
【００６８】
また、中間転写体３７の表面層３７ｂに熱によって低極性溶媒の吸収と放出とを切り替えることが可能な材料を用いた場合は、表面層３７ｂを加熱する加熱部を溶媒除去ローラ４１の内部に設けても良い。加熱部は、表面層３７ｂに熱を加えるものであり、ヒータ、冷却機等があげられる。加熱部は、表面層３７ｂに熱を加えることが可能であれば、その加熱部を設ける位置はとくに限定せず、任意の位置に任意の方法で設けることが可能である。ただし、熱により低極性溶媒の吸収と放出とを切り替えることが可能な材料は、加熱部がヒータの場合と、冷却機と、の場合とで材料が異なることになる。
【００６９】
本実施形態では、クリーニング装置４０が溶媒除去機構としての溶媒除去ローラ４１を備え、クリーニング装置４０が溶媒除去機構を兼ねる構成にしている。しかし、クリーニング装置４０に溶媒除去機構を含まない構成にすることも可能である。
【００７０】
付与装置７３は、中間転写体３７に当接し中間転写体３７に処理液を塗布の態様で付与する付与手段として機能する。付与装置７３は、Ａ１方向においてクリーニング装置４０が中間転写体３７をクリーニングする位置の下流側で、かつ記録ヘッド６１Ｙ、６１Ｍ、６１Ｃ、６１ＢＫ、６１Ｔが中間転写体３７に記録液を吐出する位置の上流側において、中間転写体３７に対向している。付与装置７３は、この位置において、処理液を中間転写体３７に塗布するようになっている。
【００７１】
付与装置７３は、かかる位置において中間転写体３７に当接して処理液を塗布する塗布ローラ７４を有している。
【００７２】
また、付与装置７３は、処理液を収容しているとともに収容している処理液を塗布ローラ７４に供給する処理液タンク７５を有している。
【００７３】
また、付与装置７３は、塗布ローラ７４による中間転写体３７に対する処理液の塗布量を変化させるために中間転写体３７に対する塗布ローラ７４の位置を変化させる処理液塗布量調整手段としての塗布量調整装置７６を有している。
【００７４】
塗布ローラ７４は、少なくとも周面が弾性部材によって形成されており、処理液タンク７５に収容されている処理液に一部が浸漬された状態で備えられている。塗布ローラ７４は、主走査方向すなわち図１における紙面に垂直な方向において、すでに述べた画像形成可能領域に対応する幅で中間転写体３７に当接している。
【００７５】
塗布量調整装置７６は、塗布ローラ７４を中間転写体３７に当接させた状態を保ったまま中間転写体３７に対する塗布ローラ７４の位置を変化させ、これによって中間転写体３７に対する塗布ローラ７４の当接力を変化させる。これにより、塗布ローラ７４の表面に付着している処理液のうち中間転写体３７に転移する量すなわち塗布量が変化する。具体的には、中間転写体３７に対する塗布ローラ７４の位置が近く、中間転写体３７に対する塗布ローラ７４の当接力が強いほど、処理液の塗布量が多くなる。
【００７６】
中間転写体３７に対する塗布ローラ７４の位置、すなわち中間転写体３７と塗布ローラ７４との間のギャップ、言い換えると中間転写体３７への処理液の塗布量の調整のための塗布量調整装置７６の駆動は、制御部９８によって制御される。この点、制御部９８は、付与装置７３を制御する処理液塗布制御手段、とくにギャップ制御手段である処理液量制御手段として機能する。処理液量制御手段として機能する制御部９８は、環境検知センサ３５によって検知された環境温度及び環境湿度に基づき、塗布量調整装置７６を駆動し、中間転写体３７に付与される処理液の量を制御する。
【００７７】
そのため、処理液量制御手段として機能する制御部９８は、予め環境検知センサ３５によって検知される環境温度及び環境湿度に対応したテーブルが記憶されており、このテーブルにしたがって塗布量調整装置７６を駆動するようになっている。たとえば、かかるテーブルには、環境温度が高いほど、また環境湿度が高いほど、中間転写体３７と塗布ローラ７４とのギャップを小さくして、処理液の塗布量を少なくするべき旨が記憶されている。このようにして処理液の塗布量を制御することで、外部環境によって後述するＷ／ＯエマルションからＯ／Ｗエマルションへの転相条件が変わることに対応して転相反応を確実に生じさせ、後述の各利点を得る。
【００７８】
塗布量調整装置７６は、環境温度及び環境湿度が後述する転相反応に影響を与えない場合、あるいはかかる影響が無視できる程度である場合などには省略可能である。塗布量調整装置７６を省略する場合、環境検知センサ３５、処理液量制御手段として機能する制御部９８も省略可能である。
【００７９】
ただし、環境温度及び環境湿度の何れか一方が転相反応に影響を与えない場合、あるいはかかる影響が無視できる程度である場合などには、当該環境温度又は当該環境湿度を検知するセンサを省略し、他方を検知する環境検知センサを有することが好ましい。この場合、環境検知センサは、環境温度を検知する場合には温度検知センサとして備えられ、環境湿度を検知する場合には湿度検知センサとして備えられる。また、処理液量制御手段として機能する制御部９８には、環境温度と環境湿度とのうち、検知される方についてのテーブルが記憶される。環境温度と環境湿度とでは、環境温度の方が転相反応に影響を与えやすいため、環境検知センサは少なくとも環境温度センサとしての機能を有することが好ましい。
【００８０】
処理液タンク７５は定位置に固定されているが、塗布量調整装置７６によって塗布ローラ７４とともに変位するようになっていてもよい。付与装置７３は、塗布ローラ７４が中間転写体３７に対向する位置でＡ１方向と同じ方向に回転するように駆動するモータ等の駆動源を備えていても良い。処理液塗布制御手段として機能する制御部９８は、塗布量調整装置７６の他、かかる駆動源等、付与装置７３において駆動を制御される構成を制御する。処理液塗布部材は、中間転写体３７に当接して処理液を付与するものであれば、塗布ローラ７４のようなローラ状をなしローラ塗布を行う部材に限らず、ワイヤーバー、フレードコータ、処理液を含浸した発泡体等であっても良い。
【００８１】
付与装置７３によって中間転写体３７に付与される処理液及びこの処理液に分散した状態で含まれる水溶性高分子等について説明する。かかる処理液のベースは、水と相溶しない、すなわち、室温で相分離する低極性溶媒である。処理液は、水溶性高分子を含む水と、この水と非相溶の、かかる非極性溶媒とを、界面活性剤を用いて乳化させたものである。すなわち、処理液は、かかる非極性溶媒に界面活性剤を用いて水溶性高分子が溶解した状態でこの水溶性高分子を含む水相をＷ／Ｏエマルションになるように分散させた形態となっている。なお、かかる界面活性剤を第１の界面活性剤とする。
【００８２】
図２（ａ）に示すように、この形態において、水溶性高分子９１を含む水９２は水滴となって分散相となるとともに、かかる低極性溶媒９３が連続相となっている。このように、水溶性高分子９１を水９２に溶解させた水溶液を界面活性剤９４を用いて低極性溶媒９３に分散させる。
【００８３】
図２（ａ）に示されているように低極性溶媒９３による油相中に水滴が分散している状態をＷ／Ｏエマルションという。これに対し、図２（ｂ）に示すように水９２による水相中に低極性溶媒９３による油滴が乳化している状態をＯ／Ｗエマルションという。
【００８４】
画像形成装置１００では、記録液として水性記録液を用い、この記録液を記録ヘッド６１Ｙ、６１Ｍ、６１Ｃ、６１ＢＫ、６１Ｔから吐出し、この吐出された記録液と処理液とを接触させ、混合させる。そして、この接触等により、図２（ａ）に示したＷ／Ｏエマルションが図２（ｂ）に示したＯ／Ｗエマルションに転相する。Ｗ／Ｏエマルションの状態では水溶性高分子は水滴中に内包されているが、Ｏ／Ｗエマルションに転相すると水溶性高分子は水相中に分散して増粘作用を発揮する。この転相前の状態においては、水溶性高分子がＷ／Ｏエマルションの状態で水滴中に内包されているため、Ｗ／Ｏエマルションの状態では処理液の粘度が抑制されている。
【００８５】
水相中に分散した水溶性高分子は、水９２言い換えると水相及び記録液中の着色成分を増粘、凝集させ、記録液が転写紙Ｓに転写されたときに記録液中の着色成分等が転写紙Ｓに滲むことを防止ないし抑制する機能を有する。よって、ブリーディング、フェザリングが防止ないし抑制された高精細で高画質の画像形成が行われとともに、転写紙Ｓのカールやコックリングが防止ないし抑制される。
【００８６】
低極性溶媒の具体例としては、パラフィン系炭化水素、ナフテン系炭化水素、オレフィン系炭化水素、アセチレン系炭化水素、又、オリーブオイル、パームオイル、菜種油、胡麻油、等の植物油、牛脂等の動物油、等があげられる。
【００８７】
処理液に用いる水溶性高分子は、とくに限定されるものではないが、記録液中の後述するイオン性着色剤及び／又はイオン性樹脂がアニオン性の場合は、処理液に用いる水溶性高分子はカチオン性又は塩基性が好ましい。また、記録液中の後述するイオン性着色剤及び／又はイオン性樹脂がイオン性着色剤及び／又はイオン性樹脂がカチオン性の場合は、処理液に用いる水溶性高分子はアニオン性又は酸性が好ましい。処理液に用いる水溶性高分子はノニオン性であっても良い。
【００８８】
カチオン性の水溶性高分子は、分子中にカチオン性基を有するのであればとくに限定されるものではない。カチオン性の水溶性高分子の具体例としては、ポリアリルアミン及びその塩、ポリビニルアミン及びその塩、ポリエチレンイミン及びその塩、ポリアクリルアミド及びその塩、カチオンエポキシ、カチオンエマルジョン、アリルアミン‐マレイン酸共重合体、ポリ塩化ジメチルメチレンピペリジニウム及びその塩、塩化ジメチルジアリルアンモニウム−アクリルアミド共重合体及びその塩、ビニルピロリドンＮ，Ｎ−ジメチルアミノエチルメタクリル酸共重合体及びその塩、Ｎ‐ビニルピロリドンＮ，Ｎ−ジメチルアミノエチルメタクリレート共重合体及びその塩、特殊変性ポリアクリル酸エステル及びその塩、ポリアクリル酸エステル及びその塩、ポリメタクリル酸エステル及びその塩、ポリジシアンジアミド及びその塩、ポリアミン縮合物及びその塩、等があげられる。
【００８９】
アニオン性の水溶性高分子は、分子中にアニオン性基を有するのであればとくに限定されるものではない。アニオン性の水溶性高分子の具体例としては、ポリオキシアルキレンエーテル硫酸エステル塩、等があげられる。
【００９０】
ノニオン性の水溶性高分子は、とくに限定されるものではない。ノニオン性の水溶性高分子の具体例としては、ポリアクリルアミド等があげられる。
【００９１】
低極性溶媒に水溶性高分子が溶解した水を乳化させるためには、親油性の高い界面活性剤が好適に用いられる。たとえば、かかる界面活性剤として、グリセリン脂肪酸エステル、ソルビタン脂肪酸エステル、ポリエチレングリコールの脂肪酸エステル、等があげられる。
【００９２】
また、記録液と処理液とが接触し混合した際に、処理液と記録液との混合液中の水溶性高分子の分散状態を変化せしめるために、親水性の高い界面活性剤を添加することが好ましい。かかる分散状態の変化は、具体的には混合液の分散状態言い換えると乳化状態をＷ／ＯエマルションからＯ／Ｗエマルションに転相させる態様での変化である。
【００９３】
この親水性の高い界面活性剤の添加は、記録液と処理液との少なく一方に対して行えばよく、このような添加を行えば、記録液と処理液とが混合する際に効率よく分散状態が変化するため好適である。この目的の界面活性剤として、Ｈｙｄｒｏｐｈｉｌｅ−Ｌｉｐｏｐｈｉｌｅ  ＢａｌａｎｃｅすなわちＨＬＢ値が８以上である界面活性剤を用いることが望ましい。ただし、ＨＬＢ値が高すぎる際には、記録ヘッド内で記録液に気泡が生じやすくなる傾向がある、ＨＬＢ値は８〜１５であることが最も望ましい。
【００９４】
なお、この界面活性剤を第２の界面活性剤とする。また、この界面活性剤は、上述した、水性記録液と処理液との接触による、Ｗ／ＯエマルションからＯ／Ｗエマルションへの転相に必須のものではないことがわかっている。すなわち、第２の界面活性剤の添加はＷ／ＯエマルションからＯ／Ｗエマルションへの転相のため必要とされない場合があることがわかっている。
【００９５】
キャリッジ６２は、記録ヘッド６１Ｙ、６１Ｍ、６１Ｃ、６１ＢＫ、６１Ｔと一体で、本体９９に対して着脱可能となっている。記録ヘッド６１Ｙ、６１Ｍ、６１Ｃ、６１ＢＫ、６１Ｔに劣化等が生じたときにこれらが新規のものに交換可能であるようにするため、またメンテナンスを容易にするためである。記録ヘッド６１Ｙ、６１Ｍ、６１Ｃ、６１ＢＫ、６１Ｔもそれぞれ、劣化等が生じたときに新規のものに交換可能であるように、またメンテナンスを容易にするために、独立して本体９９に対して着脱可能となっている。これによって、交換作業、メンテナンス作業が容易化されている。
【００９６】
インク吐出装置６０Ｙ、６０Ｍ、６０Ｃ、６０ＢＫ、６０Ｔは、用いる記録液の色、組成が異なるものの、その余の点では互いに略同様の構成となっている。インク吐出装置６０Ｙ、６０Ｍ、６０Ｃ、６０ＢＫ、６０Ｔはそれぞれ、記録ヘッド６１Ｙ、６１Ｍ、６１Ｃ、６１ＢＫ、６１Ｔをそれぞれ複数、主走査方向に並設されている。よって、インク吐出装置６０Ｙ、６０Ｍ、６０Ｃ、６０ＢＫ、６０Ｔ、画像形成装置１００はフルライン型となっている。
【００９７】
インク吐出装置６０Ｙ、６０Ｍ、６０Ｃ、６０ＢＫ、６０Ｔは、複数の記録ヘッド６１Ｙ、６１Ｍ、６１Ｃ、６１ＢＫ、６１Ｔに供給される当該色の記録液を収容したインクカートリッジ８１Ｙ、８１Ｍ、８１Ｃ、８１ＢＫ、８１Ｔを有している。
【００９８】
また、インク吐出装置６０Ｙ、６０Ｍ、６０Ｃ、６０ＢＫ、６０Ｔは、記録液を各記録ヘッド６１Ｙ、６１Ｍ、６１Ｃ、６１ＢＫ、６１Ｔに向けて圧送し給送するための供給ポンプとしてのポンプを有している。
【００９９】
また、インク吐出装置６０Ｙ、６０Ｍ、６０Ｃ、６０ＢＫ、６０Ｔは、かかるポンプによって供給されてきた記録液を各記録ヘッド６１Ｙ、６１Ｍ、６１Ｃ、６１ＢＫ、６１Ｔに分配して供給するディストリビュータタンクを有している。
【０１００】
また、インク吐出装置６０Ｙ、６０Ｍ、６０Ｃ、６０ＢＫ、６０Ｔは、かかるディストリビュータタンク内の記録液量の不足を検出するために同記録液量を検知する記録液量検知手段であるインク量検知手段としてのインク量検知センサを有している。
【０１０１】
また、インク吐出装置６０Ｙ、６０Ｍ、６０Ｃ、６０ＢＫ、６０Ｔは、インクカートリッジ８１Ｙ、８１Ｍ、８１Ｃ、８１ＢＫ、８１Ｔとディストリビュータタンクとの間の記録液の給送路をポンプとともに形成しているパイプを有している。
【０１０２】
また、インク吐出装置６０Ｙ、６０Ｍ、６０Ｃ、６０ＢＫ、６０Ｔは、ディストリビュータタンクと各記録ヘッド６１Ｙ、６１Ｍ、６１Ｃ、６１ＢＫ、６１Ｔとの間の記録液の給送路を形成しているパイプを有している。
【０１０３】
インクカートリッジ８１Ｙ、８１Ｍ、８１Ｃ、８１ＢＫ、８１Ｔは、内部の記録液が消費されて残り少なくなったときあるいはなくなったとき等に新規のものに交換可能であるように、またメンテナンスを容易にするために、本体９９に対して着脱可能となっている。インクカートリッジ８１Ｙ、８１Ｍ、８１Ｃ、８１ＢＫ、８１Ｔは、メインタンクとしての記録液カートリッジとして機能する。
【０１０４】
ポンプは、制御部９８によって作動を制御され、インクカートリッジ８１Ｙ、８１Ｍ、８１Ｃ、８１ＢＫ、８１Ｔ内に収容された記録液を各記録ヘッド６１Ｙ、６１Ｍ、６１Ｃ、６１ＢＫ、６１Ｔに供給する。具体的には、ポンプは、インク量検知センサによってディストリビュータタンク内の記録液量の不足が検出されたことを条件として、記録ヘッド６１Ｙ、６１Ｍ、６１Ｃ、６１ＢＫ、６１Ｔによる記録液の吐出が停止されているときに駆動される。この駆動により、インクカートリッジ８１Ｙ、８１Ｍ、８１Ｃ、８１ＢＫ、８１Ｔ内の記録液が、記録液供給部であるインク供給部としてのディストリビュータタンクに供給される。この駆動はかかる不足が検出されなくなるまで継続される。この点、制御部９８は、記録液供給制御手段として機能する。その他、制御部９８は、画像形成装置１００において駆動される構成については、とくに説明しない場合であっても、その駆動を制御するようになっている。
【０１０５】
各記録ヘッド６１Ｙ、６１Ｍ、６１Ｃ、６１ＢＫ、６１Ｔは、図示を省略するが、中間転写体３７を向く記録液吐出側において、ノズル板と、ノズル板に形成された微小なノズルとを有している。
【０１０６】
また、各記録ヘッド６１Ｙ、６１Ｍ、６１Ｃ、６１ＢＫ、６１Ｔは、図示を省略するが、ノズルから記録液を液滴化して吐出させ中間転写体３７に着弾させるための、画像信号に基づいて駆動されるアクチュエータとして、ピエゾ方式の可動アクチュエータを有している。
【０１０７】
この可動アクチュエータは、ピエゾ素子の変位で液室内の記録液に圧力を加えてノズルから記録液を吐出させる。ただし、可動アクチュエータは他の方式の可動アクチュエータであってもよい。その他、各記録ヘッド６１Ｙ、６１Ｍ、６１Ｃ、６１ＢＫ、６１Ｔは、ヒータ加熱で発生するバブルで液室内の記録液に圧力を加えてノズルから記録液を吐出させるサーマル方式等の加熱膜沸騰方式を用いても良い。
【０１０８】
何れにしても、各記録ヘッド６１Ｙ、６１Ｍ、６１Ｃ、６１ＢＫ、６１Ｔは、画像信号に応じて駆動され、中間転写体３７を介して転写紙Ｓに記録液を付与して画像を形成する。ノズルは各記録ヘッド６１Ｙ、６１Ｍ、６１Ｃ、６１ＢＫ、６１Ｔに多数備えられている。
【０１０９】
記録ヘッド６１Ｙ、６１Ｍ、６１Ｃ、６１ＢＫ、６１Ｔから吐出する記録液について説明する。記録ヘッド６１Ｙ、６１Ｍ、６１Ｃ、６１ＢＫ、６１Ｔから吐出する記録液は、その何れも、溶媒が水である水性記録液である。ただし、記録ヘッド６１Ｙ、６１Ｍ、６１Ｃ、６１ＢＫから吐出する記録液は着色剤を含有しており、記録ヘッド６１Ｔから吐出する記録液は着色剤を非含有である。この点、記録ヘッド６１Ｙ、６１Ｍ、６１Ｃ、６１ＢＫは、着色剤を含有した水性記録液を吐出する第１の記録ヘッドとして機能し、記録ヘッド６１Ｔは、着色剤を非含有の水性記録液を吐出する第２の記録ヘッドとして機能する。
【０１１０】
イエロー、マゼンタ、シアン、黒に対応した記録液の着色剤すなわち色剤としては、アニオン性染料、カチオン性染料、又、アニオン性分散剤、又はカチオン性分散剤で分散された顔料、その他、着色エマルションがあげられる。
【０１１１】
アニオン性染料の具体例としては、たとえば、カラーインデックスにおいて酸性染料、食用染料、直接性染料、反応性染料に分類される染料があげられる。より具体的には、酸性染料及び食用染料として、Ｃ．Ｉ．アシッドイエロー １７、２３、４２、４４、７９、１４２ Ｃ．Ｉ．アシッドレッド １、８、１３、１４、１８、２６、２７、３５、３７、４２、５２、８２、８７、８９、９２、９７、１０６、１１１、１１４、１１５、１３４、１８６、２４９、２５４、２８９ Ｃ．Ｉ．アシッドブルー ９、２９、４５、９２、２４９ Ｃ．Ｉ．アシッドブラック １、２、７、２４、２６、９４ Ｃ．Ｉ．フードイエロー ３、４ Ｃ．Ｉ．フードレッド ７、９、１４ Ｃ．Ｉ．フードブラック １、２等があげられる。
【０１１２】
また、直接性染料として、Ｃ．Ｉ．ダイレクトイエロー １、１２、２４、２６、３３、４４、５０、８６、１２０、１３２、１４２、１４４ Ｃ．Ｉ．ダイレクトレッド １、４、９、１３、１７、２０、２８、３１、３９、８０、８１、８３、８９、２２５、２２７ Ｃ．Ｉ．ダイレクトオレンジ ２６、２９、６２、１０２ Ｃ．Ｉ．ダイレクトブルー １、２、６、１５、２２、２５、７１、７６、７９、８６、８７、９０、９８、１６３、１６５、１９９、２０２ Ｃ．Ｉ．ダイレクトブラック １９、２２、３２、３８、５１、５６、７１、７４、７５、７７、１５４、１６８、１７１等があげられ。
【０１１３】
反応性染料として、Ｃ．Ｉ．リアクティブ．ブラック３、４、７、１１、１２、１７、Ｃ．Ｉ．リアクティブ．イエロー１、５、１１、１３、１４、２０、２１、２２、２５、４０、４７、５１、５５、６５、６７、Ｃ．Ｉ．リアクティブ．レッド１、１４、１７、２５、２６、３２、３７、４４、４６、５５、６０、６６、７４、７９、９６、９７、Ｃ．Ｉ．リアクティブ．ブルー１、２、７、１４、１５、２３、３２、３５、３８、４１、６３、８０、９５等があげられる。この反応性染料は、溶解性の高さ、色調の良好さ、及び画像形成装置１００における方法すなわち上述した転相を用いて記録した場合の耐水性の良さから、用いることが好ましい。
【０１１４】
アニオン性染料としては、とくに分子中に３個以上のカルボキシル基、スルホン酸基を含むものが、処理液中の水溶性高分子との反応性が高く、水溶性高分子との反応による増粘、凝集によって転写紙Ｓに転写されたときの滲みが防止ないし抑制されるため好ましい。また、分子中に３個以上のカルボキシル基、スルホン酸基を含むと、記録液の保存安定性、耐目詰まり特性が確保される点でも好ましい。
【０１１５】
カチオン性染料としては塩基性染料、カチオン染料があげられる。より具体的には、塩基性染料として、Ｃ．Ｉ．ベーシックブルー９、１２、２６、Ｃ．Ｉ．ベーシックレッド２、５、９、Ｃ．Ｉ．ベーシックブラック２等があげられる。また、カチオン染料として、Ｇ．Ｙｅｌｌｏｗ  ＧＬ  ２００、Ｒｅｄ  ＢＬ  ２００  Ｒ−４６、Ｂｌｕｅ  ＧＲＬ−ＮＢ４１等があげられる。
【０１１６】
記録液の着色剤として用いられる顔料としては、無機顔料、有機顔料があげられる。無機顔料としては、酸化チタン、酸化亜鉛、硫酸バリウム等の白色顔料や酸化鉄等の黒色顔料等があげられる。有機顔料としては、アゾ顔料（アゾレーキ、不溶性アゾ顔料、縮合アゾ顔料、キレートアゾ顔料等を含む）、多環式顔料（たとえば、フタロシアニン顔料、ペリレン顔料、ペリノン顔料、アントラキノン顔料、キナクリドン顔料、ジオキサジン顔料、チオインジゴ顔料、イソインドリノン顔料、キノフラロン顔料等）、染料キレート（たとえば、塩基性染料型キレート、酸性染料型キレート等）、ニトロ顔料、ニトロソ顔料、アニリンブラック等があげられる。
【０１１７】
また、コンタクト法、ファーネス法、サーマル法等の公知の方法によって製造されたカーボンブラック等の着色剤を顔料として用いても良い。より具体的には、カラー用としては、Ｃ．Ｉ．ピグメントイエロー１（ファストイエローＧ）、３、１２（ジスアゾイエローＡＡＡ）、１３、１４、１７、２４、３４、３５、３７、４２（黄色酸化鉄）、５３、５５、８１、８３（ジスアゾイエローＨＲ）、９５、９７、９８、１００、１０１、１０４、４０８、１０９、１１０、１１７、１２０、１３８、１５３、Ｃ．Ｉ．ピグメントオレンジ５、１３、１６、１７、３６、４３、５１、Ｃ．Ｉ．ピグメントレッド１、２、３、５、１７、２２（ブリリアントファーストスカレット）、２３、３１、３８、４８：２（パーマネントレッド２Ｂ（Ｂａ））、４８：２（パーマネントレッド２Ｂ（Ｃａ））、４８：３（パーマネントレッド２Ｂ（Ｓｒ））、４８：４（パーマネントレッド２Ｂ（Ｍｎ））、４９：１、５２：２、５３：１、５７：１（ブリリアントカーミン６Ｂ）、６０：１、６３：１、６３：２、６４：１、８１（ローダミン６Ｇレーキ）、８３、８８、１０１（ベンガラ）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントバイオレット１（ローダミンレーキ）、３、５：１、１６、１９、２３、３８、Ｃ．Ｉ．ピグメントブルー１、２、１５（フタロシアニンブルーＲ）、１５：１、１５：２、１５：３（フタロシアニンブルーＥ）、１６、１７：１、５６、６０、６３、Ｃ．Ｉ．ピグメントグリーン１、４、７、８、１０、１７、１８、３６等があげられる。
【０１１８】
着色剤として顔料を含む記録液を用いる場合には、たとえば、酸化反応によりカルボキシル基が導入されたカーボンブラック、カルボキシル基やスルホン酸基を含むジアゾニウム塩から生成されるラジカルとカーボンブラック、フタロシアニン、キナクリドン等の顔料を反応させてなる自己分散性の顔料、カルボキシル基やスルホン酸基を含むラジカル開始剤とカーボンブラック、フタロシアニン、キナクリドン等の顔料を反応させてなる自己分散性の顔料、顔料の官能基とカルボン酸の無水物を反応させてなる自己分散性顔料等、イオン性の基、とくにカルボキシル基が共有結合で結合している顔料が好ましく用いられる。
【０１１９】
これらの顔料は水を主体とする液媒体中で、極めて安定な分散状態が保たれ、記録液の保存性、耐目詰まり性に優れる。また、これらの顔料は、処理液中の水溶性高分子との反応性が高く、水溶性高分子との反応による増粘、凝集によって混色の発生防止効果が大きい。
【０１２０】
着色剤として顔料を用いる場合、顔料は、アニオン性の高分子分散剤、又はカチオン性の高分子分散剤で分散される。アニオン性基を有する高分子分散剤の例として、ポリアクリル酸及びその塩、ポリメタクリル酸及びその塩、アクリル酸−アクリロニトリル共重合体及びその塩、アクリル酸−アクリル酸アルキルエステル共重合体及びその塩、スチレン−アクリル酸共重合体及びその塩、スチレン−メタクリル酸共重合体及びその塩、スチレン−アクリル酸−アクリル酸アルキルエステル共重合体及びその塩、スチレン−メタクリル酸−アクリル酸アルキルエステル共重合体及びその塩、スチレン−αメチルスチレン−アクリル酸共重合体及びその塩、スチレン−αメチルスチレン−アクリル酸共重合体−アクリル酸アルキルエステル共重合体及びその塩、スチレン−マレイン酸共重合体及びその塩、ビニルナフタレン−マレイン酸共重合体及びその塩、酢酸ビニル−エチレン共重合体及びその塩、酢酸ビニル−クロトン酸共重合体及びその塩、酢酸ビニル−アクリル酸共重合体及びその塩、βナフタレンスルホン酸ホルマリン縮合物等があげられる。
【０１２１】
これらのアニオン性基を有する高分子化合物は、酸の形で用いても良いが、ナトリウム、カリウム、リチウム等のアルカリ金属塩を用いてもよい。これらのアニオン性高分子は処理液中の水溶性高分子と反応して、混色の発生防止効果が大きい点で、とくに好ましい。また、これらのアニオン性高分子は着色剤の接着機能を有するため、転写工程における中間転写体３７から転写紙Ｓへの転写率を向上させるという利点が得られる。カチオン性基を有する高分子分散剤の例としては、脂肪族アミン塩、等があげられる。
【０１２２】
アニオン性の界面活性剤も顔料分散剤として好ましく用いられる。具体的には、オレイン酸及びその塩、ラウリン酸及びその塩、ベヘン酸及びその塩、ステアリン酸及びその塩、又そのような脂肪酸及びその塩、ドデシルスルホン酸及びその塩、デシルスルホン酸及びその塩、又そのようなアルキルスルホン酸及びその塩、ラウリル硫酸塩、オレイル硫酸塩等のアルキル硫酸エステル類、ドデシルベンゼンスルホン酸及びその塩、ラウリルベンゼンスルホン酸及びその塩、又そのようなアルキルベンゼンスルホン酸及びその塩、ジオクチルスルホ琥珀酸及びその塩、ジヘキシルスルホ琥珀酸及びその塩、又そのようなジアルキルスルホ琥珀酸及びその塩、ナフチルスルホン酸及びその塩、ナフチルカルボン酸及びその塩、又そのような芳香族アニオン系界面活性剤、ポリオキシエチレンアルキルエーテル酢酸塩、ポリオキシエチレンアルキルエーテルリン酸塩、ポリオキシエチレンアルキルエーテルスルホン酸塩、フッ素化アルキルカルボン酸及びその塩、フッ素化アルキルスルホン酸及びその塩等のフッ素系アニオン性界面活性剤等が顔料を分散する分散剤としてあげられる。
【０１２３】
これらの界面活性剤を顔料の分散剤として用いる場合、アルキルカルボン酸塩、アルキルベンゼンカルボン酸塩、ポリオキシエチレンアルキルエーテル酢酸塩等のカルボキシル基を含む界面活性剤を用いることが、処理液中の水溶性高分子との反応性が高く、混色の発生防止効果が大きい点で、とくに好ましい。
【０１２４】
顔料を分散させた記録液を用いる場合に、顔料の粒径にとくに制限はないが、最大個数換算で最大頻度が２０〜１５０ｎｍの粒径の顔料インクを用いることが好ましい。粒径が１５０ｎｍを超えると、記録液としての顔料分散安定性が低下するばかりでなく、記録液の吐出安定性も低下し、画像濃度等の画像品質も低くなり好ましくない。一方、粒径が２０ｎｍ未満では、記録液の保存安定性、記録ヘッドからの噴射特性は安定し、処理液を用いる場合には、高い画像品質も得られる。しかし、そのように細かな粒径にまで分散せしめるのは、分散操作や、分級操作が複雑となり、記録液を低廉化することが困難となるため好ましくない。
【０１２５】
記録液に用いる着色剤として好ましいものの他の例は、着色樹脂微粒子が懸濁された、所謂、着色エマルジョンを用いた記録液である。着色樹脂微粒子は、スチレン−アクリル樹脂、ポリエステル樹脂、ポリウレタン樹脂等を油性染料、分散染料又は顔料等により着色したものである。微粒子の殻に当たる部分をポリアクリル酸、ポリメタクリル酸等の親水性を有する樹脂で形成ことにより、たとえばアニオン性の着色微粒子が水を主体とする液媒体に懸濁された記録液が得られる。微粒子の殻に当たる部分を、反応性の界面活性剤等イオン性を有する界面活性剤で懸濁しても同様の記録液が得られる。
【０１２６】
着色エマルジョンを用いた記録液を用いる場合にも、前述のアニオン性界面活性剤で乳化し重合したもの、外殻がポリアクリル酸、ポリメタクリル酸等の親水性を有する樹脂で形成したエマルジョンを用いることが、処理液中の水溶性高分子との反応性が高く、混色の発生防止効果が大きい点で、とくに好ましい。また、これらの着色樹脂微粒子は最低造膜温度にもよるが、転写工程における中間転写体３７から転写紙Ｓへの転写効率が向上する利点がある。転写工程で最低造膜温度以上に加熱すれば、高い転写率と良好な光沢性、耐光性、耐水性、耐擦過性を持つ印刷物が得られる。
【０１２７】
以上、着色剤として、染料、顔料、着色エマルションを用いた記録液について説明した。これらの着色剤はイオン性着色剤であるが、たとえば着色エマルションはノニオン性であっても良い。
【０１２８】
記録液には、親水性高分子化合物を添加することで、処理液中の水溶性高分子との反応により記録液の増粘作用、凝集作用を強め、画像品位が向上するという利点が得られる。なお、以下において親水性高分子化合物として説明するイオン性樹脂は、かかる作用を発揮するため、画質の向上及び転写紙Ｓのカールを防止ないし抑制する利点を得る上で好ましい。しかしこのイオン性樹脂は必須ではなく、また、イオン性樹脂でなくノニオン性樹脂を用いても同様の利点が得られる場合がある。
【０１２９】
かかる親水性高分子化合物としては、天然系では、アラビアガム、トラガンガム、グーアガム、カラヤガム、ローカストビーンガム、アラビノガラクトン、ペクチン、クインスシードデンプン等の植物性高分子、アルギン酸、カラギーナン、寒天等の海藻系高分子、ゼラチン、カゼイン、アルブミン、コラーゲン等の動物系高分子、キサンテンガム、デキストラン等の微生物系高分子又はセラック等、半合成系では、メチルセルロース、エチルセルロース、ヒドロキシエチルセルロース、ヒドロキシプロピルセルロース、カルボキシメチルセルロース等の繊維素系高分子、デンプングリコール酸ナトリウム、デンプンリン酸エステルナトリウム等のデンプン系高分子、アルギン酸ナトリウム、アルギン酸プロピレングリコールエステル等の海藻系高分子、純合成系では、ポリビニルアルコール、ポリビニルピロリドン、ポリビニルメチルエーテル等のビニル系高分子、非架橋ポリアクリルアミド、ポリアクリル酸及びそのアルカリ金属塩、水溶性スチレン−アクリル樹脂等のアクリル系樹脂、水溶性スチレン−マレイン酸樹脂、水溶性ビニルナフタレン−アクリル樹脂、水溶性ビニルナフタレン−マレイン酸樹脂、βナフタレンスルホン酸ホルマリン縮合物のアルカリ金属塩等があげられる。
【０１３０】
水溶性高分子化合物を記録液に用いる場合にも、カルボン酸をアニオン基として含むものを使用することが、処理液中の水溶性高分子との反応性が高く、混色発生防止効果が大きい点で、とくに好ましい。また、前述のアニオン性高分子や樹脂エマルジョンと同様に、転写工程における中間転写体３７から転写紙Ｓへの転写率が向上する利点が得られる。
【０１３１】
記録液は、処理液中の水溶性高分子と反応する親水性高分子化合物として、糖類、とくに多糖類を含むことも好ましい。糖類化合物の例としては、アルギン酸及びその塩、ウロン酸及びその塩、アルドン酸及びその塩等があげられる。
【０１３２】
記録液には、処理液中の水溶性高分子と反応する成分として、着色剤を含まない樹脂エマルジョン、ラテックスを添加することも好ましい。とくに、樹脂エマルジョンは、処理液中の水溶性高分子との反応により記録液の増粘作用、凝集作用を強め、画像品質を向上させるため好ましい。また、樹脂エマルジョンの種類によっては、樹脂エマルジョンが被記録媒体である中間転写体３７上で皮膜を形成し、印刷物の耐光性、耐水性、耐擦過性をも向上させる利点を有する。
【０１３３】
またとくに、着色エマルジョンと同様に、アニオン系界面活性剤で乳化、分散された樹脂を用いることが好ましい。また、外殻がアクリル酸、メタクリル酸等により構成されたカプセル型の樹脂エマルジョンを用いることも好ましい。
【０１３４】
懸濁相の樹脂成分としては、アクリル系樹脂、酢酸ビニル系樹脂、スチレン‐ブタジエン系樹脂、塩化ビニル系樹脂、アクリル‐スチレン系樹脂、ブタジエン系樹脂、スチレン系樹脂等があげられる。これらの樹脂は親水性部分と疎水性部分とを併せ持つ重合体であるのが好ましい。また、これらの樹脂成分の粒子径はエマルジョンを形成する限りとくに限定されないが、１５０ｎｍ程度以下が好ましく、より好ましくは５〜１００ｎｍ程度である。
【０１３５】
市販の樹脂エマルジョンの例としては、マイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）、ボンコート５４５４（スチレン−アクリル系樹脂エマルジョン、大日本インキ化学工業株式会社製）、ＳＡＥ−１０１４（スチレン‐アクリル系樹脂エマルジョン、日本ゼオン株式会社製）、サイビノールＳＫ−２００（アクリル系樹脂エマルジョン、サイデン化学株式会社製）等があげられる。
【０１３６】
記録液中の樹脂エマルジョンは、その樹脂成分が記録液の０．１〜４０重量％となるよう添加するのが好ましく、より好ましくは１〜２５重量％の範囲である。
【０１３７】
記録液は水を主な液溶媒として使用するが、記録液を所望の物性にするため、あるいは記録液の乾燥による記録ヘッド６１Ｙ、６１Ｍ、６１Ｃ、６１ＢＫ、６１Ｔのノズルの詰まりを防止するため、湿潤剤として水溶性有機溶媒を使用することが好ましい。
【０１３８】
水溶性有機溶媒の具体例としては、エチレングリコール、ジエチレングリコール、トリエチレングリコール、テトラエチレングリコール、ポリエチレングリコール、プロピレングリコール、１，３−プロパンジオール、２−メチル−１，３−プロパンジオール、１，４−ブタンジオール、１，５−ペンタンジオール、１，６−へキサンジオール、グリセリン、１，２，６−へキサントリオール、２−エチル−１，３−ヘキサンジオール、１，２，４−ブタントリオール、１，２，３−ブタントリオール、ペトリオール等の多価アルコール類、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノブチルエーテル、テトラエチレングリコールモノメチルエーテル、プロピレングリコールモノエチルエーテル等の多価アルコールアルキルエーテル類、エチレングリコールモノフェニルエーテル、エチレングリコールモノベンジルエーテル等の多価アルコールアリールエーテル類、Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物、ホルムアミド、Ｎ−メチルホルムアミド、Ｎ，Ｎ−ジメチルホルムアミド等のアミド類、モノエタノールアミン、ジエタノールアミン、トリエタノールアミン、モノエチルアミン、ジエチルアミン、トリエチルアミン等のアミン類、ジメチルスルホキシド、スルホラン、チオジエタノール等の含硫黄化合物類、プロピレンカーボネート、炭酸エチレン、γ−ブチロラクトン等があげられる。
【０１３９】
これらの溶媒は、水とともに単独若しくは複数混合して用いられる。これらの水溶性有機溶媒の含有量についてとくに制限はないが、好ましくは記録液全体の１〜６０重量％、さらに好ましくは５〜３０重量％の範囲で用いる。
【０１４０】
記録液は、その他、ｐＨ調整剤、粘度調整剤、防腐剤、酸化防止剤等の添加剤を含んでいても良い。ｐＨ調整剤としては、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩、ジエタノールアミン、トリエタノールアミン等のアミン類、硼酸、硝酸、硫酸、酢酸等があげられる。
【０１４１】
記録液の物性の好適な範囲は、２５度付近でｐＨが６〜１２、表面張力が１０〜６０ｍＮ／ｍ、粘度が１〜２０ｍＰａ・ｓである。なお、記録ヘッド６１Ｔにおいて用いる記録液は、以上説明した組成の記録液において着色剤を非含有とした記録液である。
【０１４２】
このような構成の画像形成装置１００においては、画像形成開始の旨の所定の信号の入力により、中間転写体３７が各記録ヘッド６１Ｙ、６１Ｍ、６１Ｃ、６１ＢＫに対向しながらＡ１方向に回転を開始する。この回転に塗布ローラ７４が従動回転し、この従動回転している塗布ローラ７４によって、中間転写体３７の表面の画像形成可能領域に対応する領域に、処理液が塗布される。処理液が中間転写体３７に塗布されると、中間転写体３７の表面層３７ｂは処理液の低極性溶媒を吸収する。これにより、処理液中のエマルション濃度を中間転写体３７上で高めることができ、ブリーディング、フェザリングを抑制することが可能となる。
【０１４３】
処理液が塗布された中間転写体３７の表面は、Ａ１方向に移動して、記録ヘッド６１Ｙ、６１Ｍ、６１Ｃ、６１ＢＫに対向した領域に至る。そうすると、中間転写体３７がＡ１方向に回転している状態で、第１の記録ヘッドとして機能する記録ヘッド６１Ｙ、６１Ｍ、６１Ｃ、６１ＢＫから、イエロー、マゼンタ、シアン、黒の記録液が吐出され、中間転写体３７上に一時的に画像が担持される。
【０１４４】
このとき、記録液の吐出は、イエロー、マゼンタ、シアン、黒の各色の画像領域が中間転写体３７の同じ位置に重なるよう、Ａ１方向上流側から下流側に向けてタイミングをずらして順次重ね合わされる態様で行われる。この各色の記録液の重ね併せによって形成された画像領域が第１の領域である画像部となる。さらに、この画像部の反転領域である非画像部である第２の領域に、第２の記録ヘッドとして機能する記録ヘッド６１Ｔから、無色透明の記録液が吐出される。
【０１４５】
このようにして、画像形成可能領域の全体に記録液が付着した状態となる。したがって、画像形成可能領域の全体において、記録ヘッド６１Ｙ、６１Ｍ、６１Ｃ、６１ＢＫ、６１Ｔから吐出された記録液が、処理液に着弾し、処理液と接触、混合され、これにより処理液の状態がＷ／ＯエマルションからＯ／Ｗエマルションに変化する。
【０１４６】
この変化に伴って、記録液、より具体的には記録液と処理液との混合液が増粘するとともに、かかる変化によって水相に解放された水溶性高分子と着色剤成分等との反応による増粘及び／又は凝集が生ずる。
【０１４７】
処理液は、このような増粘等が生じる前の、粘度が比較的低いＷ／Ｏエマルションの状態で中間転写体３７に塗布されるため、塗布量調整装置７６による塗布量の調整が良好に行われ、中間転写体３７表面上における塗布状態も均一である。また、Ｗ／Ｏエマルションの状態は比較的安定であるため、中間転写体３７に塗布され増粘等が生じるまでにおける変質が少なく、処理液タンク７５内あるいは塗布ローラ７４上における保管状態は良好であり、記録液の着弾によってかかる増粘等の反応が得られる。したがって、かかる反応が均一に生じ、ムラが少なく、画像乱れが防止ないし抑制され、また画像濃度及び色再現性が確保され、高精細で高画質の画像形成が行われる。
【０１４８】
画像形成可能領域の全体にわたって記録液が処理液に着弾するため、中間転写体３７表面上に生じたＯ／Ｗエマルションの部分は、画像形成可能領域の全体にわたって層状に形成された状態となっている。この層状の部分すなわち反応層は、記録液が処理液の表面部分に着弾することによって生じるため、中間転写体３７表面上の処理液による層すなわち処理液層を覆うように、処理液層の表面上に位置する。ここで、記録液の着弾による反応後に処理液層が残るか否かは、記録液の着弾前に中間転写体３７に塗布された処理液の層厚言い換えると処理液の塗布量にもよる。この点、本形態では、かかる反応後にも処理液層が残る程度に、塗布量調整装置７６によって中間転写体３７表面に形成する処理液の層厚すなわち処理液層の厚みを制御している。
【０１４９】
中間転写体３７上に担持された画像の先端が転写部３１に到達するタイミングに合わせて、給紙ユニット２０から給送された一枚の転写紙Ｓがレジストローラ３４によって転写部３１に供給される。この転写紙Ｓの先端が転写部３１に進入するタイミングで、中間転写体３７から離間していた転写ローラ３８が中間転写体３７に向けて移動し、中間転写体３７との間にかかる転写紙Ｓを挟んだ状態とする。この状態で、転写ローラ３８は、中間転写体３７に連れ回りしながら、転写部３１を通過する転写紙Ｓに圧力をかけて中間転写体３７に密着させ、中間転写体３７上に担持されている画像を転写紙Ｓの表面に転写させる。
【０１５０】
この転写工程により、転写紙Ｓに画像が形成される。この転写工程は、画像を有する上述の反応層が、低極性溶媒がベースの処理液層から剥離し処理液層から分離して転写紙Ｓに付着することによって行われる。よって、転写ローラ３８は、転相反応によって粘度が高く変化した記録液を中間転写体３７から転写紙Ｓに転写するようになっている。
【０１５１】
したがって、転写工程で像流れが生じることはなく、転写紙Ｓとして普通紙等を用いる場合であっても、フェザリングやブリーディング、カール、コックリングが防止ないし抑制される。また、転写工程が行われる状態で、処理液層は反応層によってマスクされた状態であり、転写紙Ｓに向けて処理液層が露出していないため、転写工程において処理液が転写紙Ｓに付着することがない。よって、処理液が転写紙Ｓに付着することによるべたつきが防止される。なお処理液が転写紙Ｓに付着したとしても、処理液は低極性溶媒がベースとなっているため、カール、コックリングは防止ないし抑制される。
【０１５２】
さらに、転相反応によって粘度が高くなった反応層が、低極性溶媒がベースの処理液層から剥離するため、中間転写体３７から転写紙Ｓへの記録液の転写率が高い。また、中間転写体３７の表面層３７ｂに、刺激により低極性溶媒の吸収と放出とを切り替えることが可能な材料を用いた場合は、転写時に刺激を与えることで低極性溶媒を放出し、さらに転写率を高めることができる。よって、クリーニング装置４０による中間転写体３７のクリーニングは、常時行うことが必須でない場合がある。この場合にはクリーニング部材を、適時、中間転写体３７に接離させるように構成すれば、クリーニング部材、中間転写体３７の耐久性が向上する。また、この構成によれば、クリーニングによる処理液の除去量が減じられ、これに伴って付与装置７３による中間転写体３７への処理液の供給量が少なくてよくなるため、処理液の消費量が節減される。
【０１５３】
また、中間転写体３７の表面層３７ｂに吸収された低極性溶媒の溶媒除去機構も常時ではなく、表面層３７ｂに一定量の低極性溶媒が吸収されてから除去する構成でも良い。
【０１５４】
なお、中間転写体３７から転写紙Ｓへの記録液の転写率が、クリーニング装置４０による中間転写体３７のクリーニングを要しないほど高い場合には、クリーニング装置４０を省略してもよい。
【０１５５】
これらの利点は、上述のように、転相反応後にも処理液層が残る程度に、塗布量調整装置７６によって中間転写体３７表面に形成する処理液の層厚すなわち処理液層の厚みを制御していることによって得られるが、かかる厚みは、これに限られるものではない。
【０１５６】
転写によって画像が形成された転写紙Ｓは、中間転写体３７及び転写ローラ３８の回転によって送られて排紙台２５に案内され排紙台２５上に積載される。このとき、カールやコックリングが防止ないし抑制されているため、排紙台２５上における転写紙Ｓの積載状態は良好であり、またその後の取り扱いも容易化している。また、転写ローラ３８によって転写紙Ｓへの記録液の浸透性が向上しているため、排紙台２５へのスタックの際の、他の転写紙Ｓの裏面への記録液の転写が防止ないし抑制される。
【０１５７】
一方、中間転写体３７には、Ａ１方向への回転に伴って、反応層の転写紙Ｓへの転写による処理液の消費量、クリーニング装置４０によってクリーニングが行われる場合における処理液の除去量に応じて、塗布ローラ７４によって、処理液が塗布され、供給される。
【０１５８】
その他、画像形成装置１００によれば、次のような利点も得られる。すなわち、高速の画像形成を行うには、記録液を速乾性とすることを要するため、記録液は転写紙Ｓへの吸収性が一般に高いが、この場合には記録液が転写紙Ｓの奥深くまで浸透する。よって、記録液を速乾性とすると、いわゆる裏移りを生じ、両面画像形成に不向きとなる。しかし、かかる転相反応による増粘等により記録液の転写紙Ｓへの吸収性が低減されるためかかる裏移りが防止ないし抑制されることから、本発明にかかる画像形成方法は、両面画像形成にも適している。
【０１５９】
また、上述した、転写紙Ｓのコックリングやカールなどの変形の防止ないし抑制は、記録液の転写紙Ｓへの吸収性が低減されることとともに、転写ローラ３８の圧力によって増粘した記録液を紙繊維孔中に押し込めることによっても得られている。画像形成装置１００では記録液が増粘するため、粘度変化がない場合と比べて、記録液は転写紙Ｓ内部に浸透しにくくなり、速乾性が低下するとも考えられる。しかし、転写ローラ３８は、中間転写体３７から記録液を転写紙Ｓに転写すると同時に、記録液と転写紙Ｓとに中間転写体３７との間で圧力を印加することで、転写紙Ｓ内部への記録液の浸透性を向上している。この点、転写ローラ３８と中間転写体３７とは記録液と転写紙Ｓとに圧力を印加する圧力印加手段として機能するようになっている。
【０１６０】
このように、定着工程における圧力の印加は、速乾性の担保とともに、中間転写体３７と転写紙Ｓとの押圧・シアリングにより転写紙Ｓに対する増粘した記録液とくに記録液中の着色剤の定着性を向上するために行われるものである。転写ローラ３８と中間転写体３７とが圧力印加手段を兼ねていることにより、画像形成装置１００の構造が簡易となり、小型化、低廉化に寄与している。
【０１６１】
以上述べた各画像形成装置１００においては、中間転写体３７に、付与装置７３によって処理液を付与してから記録ヘッド６１Ｙ、６１Ｍ、６１Ｃ、６１ＢＫ、６１Ｔにより記録液を吐出させ、着弾させる、先塗りの構成を採用している。この先塗りの構成は、記録ヘッド６１Ｙ、６１Ｍ、６１Ｃ、６１ＢＫ、６１Ｔにより中間転写体３７に記録液を吐出させ、着弾させてから、付与装置７３によって処理液を付与する後塗りの構成と比べて、画像の乱れが生じにくく、高画質となる利点がある。
【０１６２】
すなわち、間接方式において後塗りとすると、中間転写体３７に記録液を着弾させた後に処理液を付与することとなり、処理液の付与の際に中間転写体３７上で画像の乱れが生じ得る。
【０１６３】
ただし、たとえば、付与装置７３において、処理液を記録ヘッドで吐出する構成を採用すれば、処理液の付与の際の画像の乱れが抑制され得る。
【０１６４】
処理液を記録ヘッドで吐出する構成を採用すると、次の利点も得られる。すなわち、第１の領域にのみ処理液を付与すること、処理液の塗布量を厳密に制御することが可能となり、処理液の消費量が低減されるという利点が得られる。
【０１６５】
また、第１の領域にのみ処理液を付与することにより、第２の領域の処理液に記録液を着弾させるための第２の記録ヘッドが不要となり、第２の記録ヘッドの省略による装置の小型化、制御の容易化、低廉化という利点が得られる。また、第２の記録ヘッド用の記録液が不要となることにより、ランニングコストも低減されるという利点が得られる。その他、第１の領域にのみ処理液を付与することにより、非画像部における処理液によるべたつきが防止ないし抑制されるという利点が得られる。
【０１６６】
他にも、転相反応後に残るＷ／Ｏエマルションの量、面積を抑制することが可能となり、かりにＷ／Ｏエマルションが転写紙Ｓ、用紙Ｓに付着するとカールやコックリングが生じるとしても、これらカールやコックリングが抑制される。なお、処理液を記録ヘッドで吐出するためには、吐出される液滴の大きさにおいてＷ／Ｏエマルションの状態が保たれるようにするなどの適宜の配慮が必要である。
【０１６７】
以上本発明の好ましい実施の形態について説明したが、本発明はかかる特定の実施形態に限定されるものではなく、上述の説明でとくに限定していない限り、特許請求の範囲に記載された本発明の趣旨の範囲内において、種々の変形、変更が可能である。
【０１６８】
たとえば、本実施形態の画像形成装置は、上述のタイプの画像形成装置に限らず、他のタイプの画像形成装置であってもよい。すなわち、複写機、ファクシミリの単体、あるいはこれらの複合機、これらに関するモノクロ機等の複合機、その他、電気回路形成に用いられる画像形成装置であってもよい。また、バイオテクノロジー分野において所定の画像を形成するのに用いられる画像形成装置であっても良い。
【０１６９】
中間転写体はローラ状でなく、無端ベルト状であっても良い。
【０１７０】
記録ヘッドの数は画像形成装置の用途に応じて増減されるものであり、複数であっても、１つであってもよい。記録ヘッドの数が複数である場合、上述の構成例のように４つに限らず、さらに多種類の記録液、たとえばライトシアン、ライトマゼンタといった淡い色の記録液を吐出する記録ヘッドを備えていて良い。画像形成装置の機能に応じて、第１の記録ヘッドと第２の記録ヘッドとのうちの少なくとも一方が備えられていればよい。
【０１７１】
本実施形態に記載された効果は、本発明から生じる最も好適な効果を列挙したに過ぎず、本発明による効果は、本発明の実施の形態に記載されたものに限定されるものではない。
【符号の説明】
【０１７２】
３７    中間転写体
４１    溶媒除去ローラ（溶媒除去機構）
６１Ｙ、６１Ｍ、６１Ｃ、６１ＢＫ、６１Ｔ    記録ヘッド
７３    付与装置（付与手段）
９１    水溶性高分子
９２    水
９３    低極性溶媒
９４    界面活性剤
１００    画像形成装置
【先行技術文献】
【特許文献】
【０１７３】
【特許文献１】特開２００３−２４６１３５号公報
【特許文献２】特開２００８−０１９２８６号公報
【特許文献３】特開２０１４−０７３６７５号公報
【特許文献４】特開２００８−０１８７１６号公報
【図１】
2016007841.tif 000003
【図２】
2016007841.tif 000004